(57)【要約】【課題】  カセットの収納状況や利用者の利用状況等に応じて、柔軟にカセット毎に計数指示することができない。また、計数作業に伴う取引処理装置の停止時間は、利用者の取引時間を制限してしまう。【解決手段】  取引システムであって、精査端末は、操作表示部を有し、取引処理装置は、紙幣の金種及び枚数を識別する紙幣識別部と、紙幣を金種毎に収納する紙幣カセットと、紙幣カセットに収納する紙幣の金種毎の枚数の第１の情報を格納する記憶部と、精査端末及び取引処理装置が実行する取引額に基づく紙幣の金種毎の枚数の第２の情報を格納するホストコンピュータと接続する制御部とを有し、操作表示部に、第１の情報と第２の情報とが一致するかの判断により決定される複数の紙幣カセット毎の状態情報と、指定される紙幣カセットに計数の指示をする計数指示領域とを有する画面を表示し、指示を受付けると、制御部は、紙幣カセットの計数を実行する。【選択図】図１
2017102495.tif 000002
【特許請求の範囲】
【請求項１】
精査端末と取引処理装置とを有する取引処理システムであって、
前記精査端末は、操作表示部を有し、
前記取引処理装置は、紙幣の金種及び枚数を識別する紙幣識別部と、紙幣を金種毎に収納する紙幣カセットと、前記紙幣カセットに収納する紙幣の金種毎の枚数の第１の情報を格納する記憶部と、前記精査端末及び前記取引処理装置が実行する取引額に基づく紙幣の金種毎の枚数の第２の情報を格納するホストコンピュータと接続する制御部とを有し、
前記操作表示部に、前記第１の情報と前記第２の情報とが一致するかの判断により決定される複数の前記紙幣カセット毎の状態情報と、指定される前記紙幣カセットに計数の指示をする計数指示領域とを有する画面を表示し、
前記指示を受付けると、前記制御部は、前記紙幣カセットの計数を実行することを特徴とする取引処理システム。
【請求項２】
前記紙幣カセットの情報を取得する要求を受付けると、前記取引処理装置及び前記ホストコンピュータは、前記精査端末に前記第１の情報と前記第２の情報とを送信し、
前記精査端末は、前記第１の情報と前記第２の情報とが一致する前記紙幣カセットの状態情報を確定状態と判断し、前記第１の情報と前記第２の情報とが不一致である前記紙幣カセットの状態情報を不確定状態と判断することを特徴とする請求項１に記載の取引処理システム。
【請求項３】
前記紙幣カセットの情報を取得する要求を受付けると、前記ホストコンピュータは、前記取引処理装置に前記第２の情報を送信し、
前記取引処理装置は、前記第１の情報と前記第２の情報とが一致する前記紙幣カセットの状態情報を確定状態と判断し、前記第１の情報と前記第２の情報とが不一致である前記紙幣カセットの状態情報を不確定状態と判断し、前記精査端末に前記状態情報を送信することを特徴とする請求項１に記載の取引処理システム。
【請求項４】
前記取引処理装置は、前記紙幣識別部で識別ができないリジェクト紙幣を収納するリジェクトカセットをさらに有し、
前記状態情報は、さらに、前記紙幣カセットの抜取情報、前記リジェクトカセットの抜取情報又は前記取引処理装置の障害情報の少なくとも一部よって決定されることを特徴とする請求項２又は３に記載の取引処理システム。
【請求項５】
前記画面には、前記不確定状態であると判断される紙幣カセットの計数の指示をする前記計数指示領域を表示することを特徴とする請求項４に記載の取引処理システム。
【請求項６】
前記制御部は、前記紙幣カセットに収納する紙幣を繰り出し前記紙幣識別部により識別をし、該識別をした紙幣を他の紙幣カセットに収納して前記計数を実行することを特徴とする請求項１に記載の取引処理システム。
【請求項７】
前記制御部は、前記計数の結果を前記精査端末に送信し、
前記精査端末は、前記計数の結果を精査結果とすることを特徴とする請求項６に記載の取引処理システム。
【請求項８】
前記紙幣カセットの全てが、前記確定状態であると判断される場合、前記第１の情報を精査結果とすることを特徴する請求項５に記載の取引処理システム。
【請求項９】
前記取引処理装置は、前記取引処理装置の利用状況を撮像する撮像部をさらに有し、
前記画面に前記撮像部で取得する情報を表示することを特徴とする請求項１に記載の取引処理システム。
【請求項１０】
前記操作表示部には、前記紙幣カセット毎に収納する紙幣の枚数情報、前記障害情報あるいは前記紙幣カセットに収納される紙幣の予測量を示す画面がさらに表示されることを特徴とする請求項１に記載の取引処理システム。
【請求項１１】
紙幣の金種及び枚数を識別する紙幣識別部と、
紙幣を金種毎に収納する紙幣カセットと、
前記紙幣カセットに収納する紙幣の金種毎の枚数の第１の情報を格納する記憶部と、
精査端末及び前記取引処理装置が実行する取引額に基づく紙幣の金種毎の枚数の第２の情報を格納するホストコンピュータと接続する通信部と、
操作や表示を可能とする操作表示部と、
制御部とを有し、
前記操作表示部に、前記第１の情報と前記第２の情報とが一致するかの判断により決定される複数の前記紙幣カセット毎の状態情報と、指定される前記紙幣カセットに計数の指示をする計数指示領域とを有する画面を表示し、
前記制御部は、前記指示を受付けると前記紙幣カセットの計数を実行することを特徴とする取引処理装置。
【請求項１２】
前記紙幣カセットの情報を取得する要求を受付けると、前記制御部は、前記ホストコンピュータから前記第２の情報を取得し、前記第１の情報と前記第２の情報とが一致する前記紙幣カセットの状態情報を確定状態と判断し、前記第１の情報と前記第２の情報とが不一致である前記紙幣カセットの状態情報を不確定状態と判断することを特徴とする請求項１１に記載の取引処理装置。
【請求項１３】
前記紙幣識別部で識別ができないリジェクト紙幣を収納するリジェクトカセットをさらに有し、
前記状態情報は、さらに、前記紙幣カセットの抜取情報、前記リジェクトカセットの抜取情報又は前記取引処理装置の障害情報の少なくとも一部よって決定されることを特徴とする請求項１２に記載の取引処理装置。
【請求項１４】
前記画面には、前記不確定状態であると判断される紙幣カセットの計数の指示をする前記計数指示領域を表示することを特徴とする請求項１２又は１３に記載の取引処理装置。
【発明の詳細な説明】
【技術分野】
【０００１】
この発明は、取引処理システム及び取引処理装置に関する。
【背景技術】
【０００２】
金融機関等に設置されるＡＴＭ（Automated Tellers Machine）等の取引処理装置は、利用者から受け付けた操作入力に応じて現金の入金や出金等の取引を実行する。また、取引処理装置は、金種毎に紙幣を収納するカセットを有し、カセットに収納する紙幣を回収・補充することにより運用を継続している。また、取引処理装置は、カセットに設けられる紙幣カウンタにより収納する紙幣の枚数を管理したり、取引処理装置に接続されるホストコンピュータにより紙幣の枚数を管理したりしている。
【０００３】
しかし、入金や出金等の取引を実行する際に、カセットから２枚以上の紙幣が重なって繰り出される等の要因により、管理する紙幣の枚数と、実際に取引処理装置に収納される紙幣の枚数とに差異が生じてしまうことがある。そのため、取引処理装置は、カセットに収納する紙幣を識別して計数する在高の精査を行う。
【０００４】
特許文献１には、精査の指示をすると、異常のあるカセットについて紙幣の計数を行い、在高を確認することが開示されている。
【先行技術文献】
【特許文献】
【０００５】
【特許文献１】特開２０１２−２３０５９１号公報
【発明の概要】
【発明が解決しようとする課題】
【０００６】
特許文献１に開示の技術では、ＡＴＭのカウント情報の更新要求を契機として異常のあるカセットの計数を実行するため、管理者は、カセットの収納状況や利用者の利用状況を見てから、柔軟にカセットの計数を指示することができない。特に、取引処理装置の設置される国や場所によっては、現金の流通量が多いという事情や、流通する紙幣の状態が悪いといった事情があるため、管理者は、カセットに収納される紙幣量の確認や計数の実行を逐次行い、継続的に取引処理装置を監視することを求められている。また、計数を実行するには、取引処理装置を一旦停止する必要があるため、特許文献１に開示の技術では、異常のあるカセットが複数存在する場合、取引処理装置の停止時間をのばし、利用者の取引時間を制限してしまう。
【課題を解決するための手段】
【０００７】
本発明により取引処理システムは一例として、精査端末と取引処理装置とを有する取引システムであって、精査端末は、操作表示部を有し、取引処理装置は、紙幣の金種及び枚数を識別する紙幣識別部と、紙幣を金種毎に収納する紙幣カセットと、紙幣カセットに収納する紙幣の金種毎の枚数の第１の情報を格納する記憶部と、精査端末及び取引処理装置が実行する取引額に基づく紙幣の金種毎の枚数の第２の情報を格納するホストコンピュータと接続する制御部とを有し、操作表示部に、第１の情報と第２の情報とが一致するかの判断により決定される複数の紙幣カセット毎の状態情報と、指定される紙幣カセットに計数の指示をする計数指示領域とを有する画面を表示し、指示を受付けると、制御部は、紙幣カセットの計数を実行することを特徴とする。
【発明の効果】
【０００８】
取引処理装置のカセットに収納される紙幣量の確認やカセットの計数作業を柔軟に行うことができ、効率的に取引処理装置の運用を行うことができる。また、逐次、カセットの計数作業を行うことができるため、取引処理装置に収納する紙幣量の確度を高め、安全性の高い運用を行うことができる。
【図面の簡単な説明】
【０００９】
【図１】取引処理システムの構成を示すブロック図である。
【図２】紙幣処理部の構成の一例を示すである。
【図３】紙幣情報管理テーブルの一例を示す図である。
【図４】条件管理テーブルの一例を示す図である。
【図５】補充処理の処理フローを示すフローチャートである。
【図６】出金処理の処理フローを示すフローチャートである。
【図７】入金処理の処理フローを示すフローチャートである。
【図８】入金処理の処理フローを示すフローチャートである。
【図９】精査判定処理の処理フローを示すフローチャートである。
【図１０】カセット状態情報管理テーブルの一例を示す図である。
【図１１】精査判定処理結果を示す表示画面の一例である
【図１２】計数処理の処理フローを示すフローチャートである。
【図１３】カセットの収納状態を示す表示画面の一例を示す。
【図１４】取引処理装置の収納状況を一覧で示す表示画面の一例を示す。
【図１５】カセットの収納予測情報を示す表示画面の一例を示す。
【図１６】第２の実施形態の精査判定処理を説明するフローチャートの一例である。
【図１７Ａ】カセット収納時のアクセス検知機構の様子を示す。
【図１７Ｂ】カセットの引き出しがあった場合のアクセス検知機構の様子を示す。
【発明を実施するための形態】
【００１０】
以下、図面を用いて本発明にかかる取引処理システム、取引処理装置の実施の形態を詳細に説明する。また、以下では、銀行システムなどの金融機関システムで用いられる例えばＡＴＭ（Automated Tellers Machine）のような取引処理装置及び取引処理装置を含む取引処理システムに適用した場合について説明するが、これに限られず、広く情報処理装置に適用することができる。
【００１１】
［第１の実施形態］
図１は、本実施の形態における取引処理システムを示す。取引システムは、精査端末１、取引処理装置２及びホストコンピュータ３からなる。取引処理装置２は、精査端末１及びホストコンピュータ３とネットワーク４を介して接続されている。なお、精査端末１及びホストコンピュータ３に接続される取引処理装置２の台数は１台に限られない。
【００１２】
ホストコンピュータ３は、例えば、各ユーザの口座における残高の管理や、各取引処理装置２の現在高を管理している。精査端末１は、取引処理装置２に対して、精査を指示するとともに、ホストコンピュータ３に対して、当該取引処理装置２の現在高を通知するよう指示する。精査端末１は、取引処理装置２の設置される支店内に設置されたり管理センター等の支店外に設置されたりする。
【００１３】
精査端末１は、取引処理装置２の精査結果情報を作成して管理する制御部１１を有する。さらに、通信部１２、操作部１３、表示部１４及び記憶部１５を有し、各部は制御部１１によって制御される。制御部１１は、ＣＰＵ,メモリ等のハード構成と、プログラム、データ等のソフト構成とから成り、各種処理を制御する。記憶部１５は、カセットの収納状態を管理するカセット状態管理テーブル１６を有する。カセット状態管理テーブル１６については、図１０を用いて後述する。
【００１４】
表示部１４は画面表示機能を、操作部１３はマウス或いは接触入力による入力の検知機能を各々もっている。これらは、精査情報を管理する者が、精査データ結果チェックを行う際、取引処理装置２の端末状態情報/精査結果確認状況情報を表示の操作等を受付ける。
【００１５】
取引処理装置２は、制御部２０、表示・操作部２１、カード・明細書処理部２２、通帳処理部２３、硬貨処理部２４、紙幣処理部２５、通信部２６、撮像部２７及び記憶部２８を備える。
【００１６】
制御部２０は、取引処理装置２本体各部の動作を制御する。例えば、制御部２０は、通信部２６を介して精査端末１から精査の指示を受け付けると、紙幣処理部２４及び硬貨処理部２５に計数を伴う精査処理を実行させる。
【００１７】
表示・操作部２１は、本体正面に設けた表示器、及びこの表示器の画面上に貼付したタッチパネルを有している。表示・操作部２１は、利用者に対する操作案内画面を表示器に表示する。また、表示・操作部２１は、タッチパネルの押下位置を検知することにより、暗証番号や取引内容（取引種別、入出金金額等）にかかる利用者の入力操作を受け付ける。
【００１８】
カード・明細書処理部２２は、本体正面に設けたカード挿入口に挿入されたキャッシュカード（以下、単にカードと称す。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。更に、カード・明細書処理部２２は、取引内容を明細書に印字する印字部（不図示）を有する。カード・明細書処理部２２は、取引内容を印字した明細書を本体正面に設けた明細書放出口に放出する。
【００１９】
通帳処理部２３は、本体正面に設けた通帳挿入口に挿入された通帳を取り込み、この通帳に対して取引履歴を印字する印字部（不図示）を有している。また、通帳処理部２３は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００２０】
硬貨処理部２５は、本体正面に設けた硬貨入出金口と、本体内部に収納されている硬貨カートリッジと、の間に形成された硬貨搬送路に沿って硬貨を搬送する。また、硬貨処理部２５は、硬貨搬送路に沿って搬送している硬貨毎に、金種、及び真偽を識別する硬貨識別部（不図示）を有している。
【００２１】
通信部２６は、制御部２０の指示に基づいて、精査端末１やホストコンピュータ３との通信を行う。
撮像部２７は、取引処理装置２の利用者を撮影する。撮影は、継続的に動画を撮影するのでも、所定時間毎に静止画を撮像するのでもよい。撮像した画像は、取引処理装置２の記憶部２８に保存され、通信部２６を介して精査端末１やホストコンピュータ３に送信される。
【００２２】
記憶部２８は、取引処理装置２の紙幣の収納情報を管理する紙幣情報管理テーブル２９とカセットの収納条件を定める条件管理テーブル３０の情報を格納する。
【００２３】
ホストコンピュータ３は、制御部３２を有する。制御部３２は、ホストコンピュータ３の動作を制御する。また、ホストコンピュータ３は、取引処理装置２から通知される取引額により、現在高を把握する。
【００２４】
図２は、紙幣処理部２５の構成を示す。
図２に示すように、紙幣処理部２５は、本体正面に設けた入出金口２０１と、本体内部に収納されているカセット２０４Ａ〜カセット２０４Ｃと、の間に形成した紙幣搬送路Ｌに沿って紙幣Ｓを搬送する。本実施形態においては、カセット２０４Ａ、カセット２０４Ｂは、１万円札を収納するカセットであり、カセット２０４Ｃは、千円札を収納するカセットであるとして説明する。また、本実施例では、５千円札と２千円札を収納するカセットは装着しない例を示す。
【００２５】
紙幣処理部２５は、紙幣搬送路Ｌに沿って搬送している紙幣毎に、金種及び真偽を識別する紙幣識別部２０２、及び紙幣を一時収納する一時保留部２０３を備える。紙幣識別部２０２は、紙幣から読み取った磁気パターンや、透過光パターン等に基づいて金種及び真偽を識別する。また、紙幣識別部２０２は、紙幣の形状や厚み等から枚数を判別する。
【００２６】
紙幣処理部２５は、カセット２０４Ａ〜カセット２０４Ｃに紙幣を補充する補充用カセット２０６（補充する紙幣が収納されている補充部２０６Ａ、補充時に識別できなかった紙幣を収納する補充リジェクト部２０６Ｂ）、及びリジェクト紙幣を収納する第１リジェクトカセット２０５を備える。また、紙幣処理部２５は、カセット２０４Ａ〜カセット２０４Ｃ、第１リジェクトカセット２０５のいずれが引き出されたかを検知する検知部を備える。カセットの引き出し検知については、図１７を用いて後述する。
【００２７】
紙幣処理部２５は、紙幣識別部２０２にて識別できなかった紙幣を収納しておくための第２リジェクトカセット２０７を備える。また、紙幣処理部２５は、第２リジェクトカセット２０７内が空かを検知する検知部（不図示）を備える。
【００２８】
紙幣処理部２５は、メモリ（不図示）を備え、カセット２０４Ａ〜カセット２０４Ｃ、第１リジェクトカセット２０５（及び第２リジェクトカセット２０７を含めてもよい）に収納されているリジェクト紙幣の金種毎の枚数、及び後述する再計数要否の状態情報を記憶する紙幣情報管理テーブル（図３参照）を記憶する。
【００２９】
図３は、紙幣情報管理テーブル２９の一例を示す。
図３に示すように、リジェクト紙幣には、紙幣識別部２０２が万円札、千円札と識別できたものの出金に使用するには適さない紙幣（第１リジェクトカセット欄の「万円」テーブルと「千円」テーブルに情報を格納される紙幣）と、紙幣カセット２０４Ａ〜紙幣カセット２０４Ｃに収納できない５千円札、２千円札等の紙幣（第１リジェクトカセット欄の「５千円」テーブルと「２千円」テーブルに情報を格納される紙幣）と、が含まれる。紙幣処理部２５の詳細については、後述する。
【００３０】
図４は、条件管理テーブル３０の一例を示す図である。
条件管理テーブル３０は、紙幣カセット毎の収納条件を管理するテーブルである。条件管理テーブル３０は、収納庫が空／満杯であることを通知する条件（Ｅｍｐｔｙ３２／Ｆｕｌｌ３４）や空／満杯に近い状態であることを事前に通知するための条件（Ｎｅａｒ  Ｅｍｐｔｙ３３／Ｎｅａr  Ｆｕｌｌ３５）を管理する。
【００３１】
精査端末１、取引処理装置２及びホストコンピュータ３における各処理の関係を以下説明する。
取引処理装置２は、自装置内に収納している紙幣の枚数が変動する処理（例えば、カセット２０４Ａ〜カセット２０４Ｃへ紙幣を補充するための補充処理、ユーザによる出金処理及びユーザによる入金処理）を行うと、当該処理の取引額（例えば、補充した金額、出金取引金額、及び入金取引金額）をホストコンピュータ３に通知する。そして、ホストコンピュータ３は、取引額に応じて、取引処理装置２の現在高を更新する。以上より、ホストコンピュータ３は、各取引処理装置２の現在高（取引処理装置２に収納されている金額）を管理することができる。
【００３２】
また、精査端末１は、取引処理装置２に収納されている紙幣の金種毎の枚数が正しいかを調べる精査判定処理を行う。精査端末１は、取引処理装置２に対して、精査処理を行うよう精査指示を行うとともに、ホストコンピュータ３に対して、現在高を通知するよう現在高通知指示を行う。取引処理装置２は、精査端末１から精査指示を受信するとき、紙幣処理部２５が備える紙幣情報管理テーブル２９から、自装置内に収納されている紙幣の金種毎の枚数を精査端末１へ通知する。そして、精査端末１は、取引処理装置２からの精査結果と、ホストコンピュータ３からの現在高と、に基づいて、当該取引処理装置２に収納されている紙幣の金種毎の枚数が正しいかを判定する。
【００３３】
次に、上述した各処理（補充処理、出金処理、入金処理、精査判定処理）の詳細について図５〜図１０を参照して説明する。
【００３４】
図５は、補充処理の処理フローを示すフローチャートである。
取引処理装置２の紙幣処理部２５は、係員が補充用カセット２０６をセットすると、図５に示す補充処理を行う。そして、係員は、取引処理装置２の補充処理が完了すると、補充用カセット２０６から現金を取り出す。なお、取引処理装置２は、運用時、自装置内に空の補充用カセット２０６を格納している。
【００３５】
図５に示すように、取引処理装置２の紙幣処理部２５は、金種毎のカウンタをリセットする（Ｓ１０１）。この金種毎のカウンタは、補充する紙幣の金種毎の枚数をカウントする。
【００３６】
紙幣処理部２５は、補充用カセット２０６の補充部２０６Ａから紙幣を１枚ずつ繰り出し（Ｓ１０２）、紙幣の金種を紙幣識別部２０２にて識別する（Ｓ１０３）。この際、紙幣識別部２０２は、紙幣の真偽についても識別する。
【００３７】
紙幣処理部２５は、紙幣識別部２０２にて紙幣の金種を識別できる（Ｓ１０４：Ｙｅｓ）と、紙幣の金種に応じたカウンタをカウントアップする（Ｓ１０５）。紙幣処理部２５が、カセット２０４Ａ〜カセット２０４Ｃのうち、該当するカセットに紙幣を収納して（Ｓ１０６）、Ｓ１０８へ進む。具体的には、紙幣処理部２５は、紙幣が１万円札なら、カセット２０４Ａ又はカセット２０４Ｂに収納し、紙幣が千円札なら、カセット２０４Ｃに収納する。
【００３８】
また、紙幣処理部２５は、紙幣識別部２０２にて紙幣の金種を識別できなかった場合に（Ｓ１０４：Ｎｏ）、補充用カセット２０６の補充リジェクト部２０６Ｂへ収納して（Ｓ１０７）、Ｓ１０８へ進む。
【００３９】
Ｓ１０８にて、紙幣処理部２５は、カセット２０４Ａ〜カセット２０４Ｃへの補充が完了するまで（Ｓ１０８：Ｎｏ）、Ｓ１０２〜Ｓ１０８の処理を繰り返し行う。紙幣処理部２５は、カセット２０４Ａ〜カセット２０４Ｃへの補充が完了すると（Ｓ１０８：Ｙｅｓ）、補充された紙幣について、金種毎のカウンタの値に基づいて、紙幣情報管理テーブル（図３）を更新する（Ｓ１０９）。その後、金種毎のカウンタの値にもとづいて、補充額を算出する（Ｓ１１０）。取引処理装置２は、紙幣処理部２５が算出した補充額を取引額として、通信部２７を介してホストコンピュータ３に通知する（Ｓ１１１）。
【００４０】
以上のように、紙幣処理部２５は、補充用カセット２０６に収納されている紙幣を識別して、カセット２０４Ａ〜カセット２０４Ｃに補充する。この際、紙幣処理部２５は、金種毎のカウンタを用いて、補充した紙幣の枚数を金種毎にカウントしているため、取引処理装置２に補充した金額を正確に把握することができる。
【００４１】
また、ホストコンピュータ３は、当該取引処理装置２の現在高に、取引処理装置２から通知された取引額（紙幣の金種毎の枚数）を加算するため、補充処理後であっても現在高を正確に把握することができる。
【００４２】
次に、出金処理の詳細について、図６を参照して説明する。
図６は、出金処理の処理フローを示すフローチャートである。取引処理装置２は、ユーザが出金取引を行う（出金取引金額が指定される）と、図６に示す処理を行う。
図６に示すように、取引処理装置２の紙幣処理部２５は、金種毎のカウンタをリセットする（Ｓ２０１）。この金種毎のカウンタは、出金する紙幣の金種毎の枚数をカウントする。
【００４３】
紙幣処理部２５は、出金取引金額に応じて、紙幣カセット２０４Ａ〜紙幣カセット２０４Ｃから紙幣を１枚ずつ繰り出す（Ｓ２０２）。例えば、紙幣処理部２５は、出金取引金額（例えば３万円）に応じて、例えば万円札を紙幣カセット２０４Ａから繰り出す。
【００４４】
紙幣処理部２５は、繰り出された紙幣の金種を紙幣識別部２０２にて識別する（Ｓ２０３）。この際、紙幣識別部２０２は、紙幣の真偽についても識別する。紙幣処理部２５は、紙幣識別部２０２にて紙幣の金種を識別できる（Ｓ２０４：Ｙｅｓ）と、紙幣の金種に応じたカウンタをカウントアップする（Ｓ２０５）。紙幣処理部２５は、入出金口２０１に紙幣を収納して（Ｓ２０６）、Ｓ２１１へ進む。
【００４５】
また、紙幣処理部２５は、紙幣識別部２０２にて紙幣の金種を識別できなかった場合に（Ｓ２０４：Ｎｏ）、識別できなかった紙幣をリジェクト紙幣とみなして、一時保留部２０３に収納して（Ｓ２０７）Ｓ２０８へ進む。
【００４６】
Ｓ２０８にて、紙幣処理部２５は、金種毎のカウンタを参照して、入出金口２０１に収納した紙幣が出金取引金額に一致するまで（Ｓ２０８：Ｎｏ）、Ｓ２０２〜Ｓ２０８の処理を繰り返し行う。紙幣処理部２５は、入出金口２０１に収納した紙幣が出金取引金額に一致すると（Ｓ２０８：Ｙｅｓ）、一時保留部２０３に収納した紙幣を繰り出した元のカセット２０４Ａ〜カセット２０４Ｃに収納し、（Ｓ２０９）、出金された紙幣について、金種毎のカウンタの値に基づいて、紙幣情報管理テーブル（図３）を更新する（Ｓ２１０）。その後、入出金口２０１を開けて、紙幣を出金する（Ｓ２１１）。そして、取引処理装置２は、出金取引金額を取引額として、通信部２７を介してホストコンピュータ３に通知する（Ｓ２２１２）。
【００４７】
以上のように、紙幣処理部２５は、出金処理の際は、カセット２０４Ａ〜カセット２０４Ｃに収納されている紙幣を識別して、カセット２０４Ａ〜カセット２０４Ｃに含まれるリジェクト紙幣を第１リジェクトカセット２０５へ収納することなく出金処理を行う。このため、第１リジェクトカセット２０５に金種、枚数が不明な紙幣が収納されることがなくなり、取引処理装置内の不明紙幣の枚数を低減させることができる。
【００４８】
また、ホストコンピュータ３は、出金処理の際は、当該取引処理装置２の現在高に、取引処理装置２から通知された取引額（紙幣の金種毎の枚数）を減算するため、出金処理後であっても現在高を正確に把握することができる。
【００４９】
次に、入金処理の詳細について、図７を参照して説明する。
図７及び図８は、入金処理の処理フローを示すフローチャートである。図７は、入金取引の処理を示し、図８は、入金取引確定後、入金された紙幣を紙幣カセットへ収納する処理を示す。取引処理装置２の紙幣処理部２５は、ユーザが入金取引を行う（入出金口２０１に紙幣が入れる）と、図７に示す処理を行う。
【００５０】
図７に示すように、取引処理装置２の紙幣処理部２５は、金種毎のカウンタをリセットする（Ｓ３０１）。この金種毎のカウンタは、入金する紙幣の金種毎の枚数をカウントする。
【００５１】
紙幣処理部２５は、入出金口２０１に収納された紙幣を１枚ずつ繰り出して（Ｓ３０２）、当該紙幣の金種を紙幣識別部２０２にて識別する（Ｓ３０３）。この際、紙幣識別部２０２は、紙幣の真偽についても識別する。
【００５２】
紙幣処理部２５は、紙幣識別部２０２にて紙幣の金種を識別できる（Ｓ３０４：Ｙｅｓ）と、紙幣の金種に応じたカウンタをカウントアップして（Ｓ３０５）、一時保留部２０３に紙幣を収納して（Ｓ３０６）、Ｓ３０８へ進む。
【００５３】
また、紙幣処理部２５は、紙幣識別部２０２にて紙幣の金種を識別できなかった場合に（Ｓ３０４：Ｎｏ）、当該紙幣を返却口へ搬送して（Ｓ３０７）、Ｓ３０８へ進む。
【００５４】
紙幣処理部２５は、入出金口２０１の紙幣が空になるまで（Ｓ３０８：Ｎｏ）、Ｓ３０２〜Ｓ３０８の処理を繰り返し行う。紙幣処理部２５は、入出金口２０１の紙幣が空になると（Ｓ３０８：Ｙｅｓ）、返却口に紙幣が有るかを調べる（Ｓ３０９）。紙幣処理部２５は、返却口に紙幣が有る場合に（Ｓ３０９：Ｙｅｓ）、当該紙幣を返却して（Ｓ３１０）、Ｓ３１１へ進む。紙幣処理部２５は、返却口に紙幣がない場合に（Ｓ３０９：Ｎｏ）、Ｓ３１１へ進む。
【００５５】
紙幣処理部２５は、紙幣の金種に応じたカウンタに基づいて、入金取引金額を表示する（Ｓ３１１）。紙幣処理部２５は、ユーザによって、入金取引金額が確定されたら（Ｓ３１２：Ｙｅｓ）、入金取引を確定して、金種毎のカウンタの値を一時記憶する（Ｓ３１３）。そして、取引処理装置２は、入金取引金額を取引額として、通信部２７を介してホストコンピュータ３に通知する（Ｓ３１４）。
【００５６】
また、紙幣処理部２５は、入金取引金額が確定しない場合に（Ｓ３１２：Ｎｏ）、一時保留部２０３の紙幣を返却口へ搬送して返却する（Ｓ３１５）。なお、紙幣処理部２５は、入金取引金額が確定しない場合に、一時保留部２０３の紙幣を返却せずに、ユーザに追加入金させてもよい。
【００５７】
以上より、ホストコンピュータ３は、入金処理では、当該取引処理装置２の現在高に、取引処理装置２から通知された取引額（紙幣の金種毎の枚数）を加算するため、入金処理後であっても現在高を正確に把握することができる。
【００５８】
図８に示すように、紙幣処理部２５は、入金取引が確定すると、金種毎のカウンタ及びリジェクト用カウンタをリセットする（Ｓ４０１）。この金種毎のカウンタは、カセット２０４Ａ〜カセット２０４Ｃに収納した紙幣の金種毎の枚数をカウントする。このリジェクト用カウンタは、リジェクトカセットに収納される紙幣の枚数をカウントする。
【００５９】
紙幣処理部２５は、一時保留部２０３から紙幣を１枚ずつ繰り出し（Ｓ４０２）、紙幣の金種を紙幣識別部２０２にて識別する（Ｓ４０３）。この際、紙幣識別部２０２は、紙幣の真偽についても識別する。
【００６０】
紙幣処理部２５は、紙幣識別部２０２にて紙幣の金種を識別できる（Ｓ４０４：Ｙｅｓ）と、紙幣が紙幣カセット２０４Ａ〜紙幣カセット２０４Ｃに収納可能な金種（万円、千円）であるか判断する（Ｓ４０５）。紙幣処理部２５は、紙幣がカセット２０４Ａ〜カセット２０４Ｃに収納可能な金種であった場合に（Ｓ４０５：Ｙｅｓ）、紙幣の金種に応じたカウンタをカウントアップする（Ｓ４０６）。そして、紙幣処理部２５は、カセット２０４Ａ〜カセット２０４Ｃのうち、該当する紙幣カセットに紙幣を収納して（Ｓ４０７）、Ｓ４１１へ進む。
【００６１】
また、紙幣処理部２５は、紙幣識別部２０２にて紙幣の金種を識別できない場合に（Ｓ４０４：Ｎｏ）、識別できなかった紙幣をリジェクト紙幣とみなして、紙幣情報管理テーブル（図３参照）の「第１リジェクトカセットの不明紙幣の有無」を「有」に更新する（Ｓ４０８）。その後、リジェクト紙幣の枚数分だけリジェクト用カウンタをカウントアップする（Ｓ４０９）。紙幣処理部２５は、リジェクト紙幣を第１リジェクトカセット２０５へ収納して（Ｓ４１０）、Ｓ４１１へ進む。
【００６２】
更に、紙幣処理部２５は、紙幣が紙幣カセット２０４Ａ〜紙幣カセット２０４Ｃに収納できない紙幣（例えば、５千円札や２千円札等）である場合に（Ｓ４０５：Ｎｏ）、当該紙幣の枚数分だけ、リジェクト用カウンタをカウントアップする（Ｓ４０９）。紙幣処理部２５は、当該紙幣をリジェクト紙幣として第１リジェクトカセット２０５へ収納して（Ｓ４１０）、Ｓ４１１へ進む。
【００６３】
Ｓ４１１にて、紙幣処理部２５は、一時保留部２０３からの紙幣の繰り出しが完了するまで（Ｓ４１１：Ｎｏ）、Ｓ４０２〜Ｓ４１１の処理を繰り返し行う。紙幣処理部２５は、一時保留部２０３からの紙幣の繰り出しが完了すると（Ｓ４１１：Ｙｅｓ）、一時保留部に収納されていた紙幣の枚数（Ｓ３１３で一時記憶した金種毎のカウンタの合計値）が、カセット２０４Ａ〜カセット２０４Ｃに収納された紙幣の枚数（金種毎のカウンタの合計値）と第１リジェクトカセット２０５に収納されたリジェクト紙幣の枚数（リジェクト用カウンタの値）との合計枚数に、一致するか否か調べる（Ｓ４１２）。
【００６４】
紙幣処理部２５は、一致する場合に（Ｓ４１２：Ｙｅｓ）、金種毎のカウンタの値に基づいてリジェクト紙幣の金種を推定して（Ｓ４１３）、Ｓ４１５へ進む。例えば、紙幣処理部２５は、一時記憶する万円のカウンタが２で千円のカウンタが５（Ｓ３１３で一時記憶するカウンタ）、且つ万円のカウンタが１で千円のカウンタが５（Ｓ４０６でカウントするカウンタ）、且つリジェクト用カウンタが１（Ｓ４０９でカウントするカウンタ）であった場合に、金種毎のカウンタの差分を求めることで、リジェクト紙幣が１枚の万円札であったと推定する。紙幣処理部２５は、一致しない場合に（Ｓ４１２：Ｎｏ）、現金情
報管理テーブル（図３参照）の「第１リジェクトカセットの不明紙幣の有無」を「有」に更新して（Ｓ４１４）、Ｓ４１５へ進む。Ｓ４１５にて、紙幣処理部２５は、紙幣情報管理テーブルを更新する。
【００６５】
以上より、紙幣処理部２５は、入金取引時に、紙幣の金種を識別して一時保留部２０３に収納し、入金取引確定後に、一時保留部２０３に収納した紙幣を再度識別して、リジェクト紙幣を第１リジェクトカセット２０５に収納する。このため、紙幣処理部２５は、入金取引に識別した紙幣の金種毎の枚数からカセット２０４Ａ〜カセット２０４Ｃに収納した金種毎の枚数を差分することで、リジェクト紙幣として識別された紙幣の金種を確実に推定することができる。また、一時保留部２０３に収納した紙幣の枚数と、カセット２０４Ａ〜カセット２０４Ｃに収納した金種毎の枚数と第１リジェクトカセット２０５とに収納した枚数との合計枚数とが一致するか調べることで、例えば、カセット２０４Ａ〜カセット２０４Ｃや第１リジェクトカセット２０５に紛れ込んでしまった紙幣があることがわかる。
【００６６】
次に、精査判定処理の詳細について説明する。
図９は、精査判定処理の処理フローを示すフローチャートである。精査判定処理は、精査端末１より出される精査指示により行われるのでもよいし、所定の時間毎に自動で行われるのでもよい。本実施形態では、後述する精査端末１の表示部１４に表示する画面上で精査判定処理を実行指示できるものとする。
まず、精査端末１は、ホストコンピュータ３に対して、取引処理装置２の現在高を通知するように現在高通知指示を行う（Ｓ９０１）。次いで、精査端末１は、当該取引処理装置２のカセット毎の現在高を取得する（Ｓ９０３）。
【００６７】
次いで、精査端末１は、取引処理装置２に対して、精査処理を実行するように精査指示を行い（Ｓ９０５）、第１の情報を取得する（Ｓ９０７）。第１の情報には、カセット２０４Ａ〜カセット２０４Ｃに収納されている紙幣の金種毎の枚数及びリジェクト紙幣の金種毎の枚数が含まれる。
【００６８】
そして、精査端末１は、ホストコンピュータ３から取得した現在高と、取引処理装置２から取得した第１の情報に含まれる金種毎の紙幣の枚数及びリジェクト紙幣の金種毎の枚数とにより、各カセットが確定状態あるいは不確定状態であるかを決定する（Ｓ９０９）。
【００６９】
ここで、確定状態とは、現在高の紙幣の枚数と第１の情報に含まれる枚数とが一致している状態であり、紙幣カセットから紙幣を繰り出して計数をする計数処理を実施しなくともカセットに収納される紙幣の枚数が確定している状態をいう。不確定状態とは、現在高の紙幣の枚数と第１の情報に含まれる枚数とが不一致の状態であり、計数処理を実施しなければ精査の完了と扱えない状態をいう。
【００７０】
次いで、Ｓ９１１で、不確定状態と判断されるカセットの有無を判断する。不確定状態のカセットがある場合、該カセットを計数処理要に決定する。また、全てのカセットが確定状態である場合、計数処理不要に決定する。計数処理不要の場合には、後述する計数処理を行わずに、第１の情報を精査結果として取り扱う。
【００７１】
なお、以上では、精査端末１が、ホストコンピュータ３から取得した現在高と、取引処理装置２から取得した第１の情報に含まれる金種毎の紙幣の枚数及びリジェクト紙幣の金種毎の枚数とにより、各カセットの確定／不確定状態を判断する例について説明したが、これに限られず、取引処理装置２が、ホストコンピュータ３から取得した現在高を用いて、カセットの確定／不確定状態を判断するのでもよい。
【００７２】
また、取引処理装置２が、出金取引、入金取引あるいは補充の際に、紙幣の多重搬送等により、紙幣の枚数や識別できない紙幣がある場合には、ホストコンピュータ３から現在高を取得することなく、該当するカセットの状態を不確定状態と判断するようにしてもよい。
【００７３】
図１０は、カセット状態情報管理テーブル１６の一例を示す図である。
カセット状態情報管理テーブル１６では、ホストコンピュータ３から取得した現在高１０２、取引処理装置２から取得した第１の情報に含まれる金種毎の紙幣の枚数及びリジェクト紙幣の金種毎の枚数１０４及び各カセットの状態情報１０６を管理する。
【００７４】
なお、本実施形態では、精査端末１が、カセット状態管理テーブル１６を有するものとしたが、取引処理装置２にて確定／不確定状態を判断する場合、取引処理装置２がカセット状態管理テーブル１６を有するものとしてもよい。
【００７５】
図１０は、５千円紙幣を収納するカセットが、現在高と第１の情報により枚数が不一致であるため不確定状態であることを示す。
なお、リジェクト庫に不明紙幣情報がある場合、装置内の紙幣が確定しないため、全てのカセットを不確定状態とするようにしてもよい。
【００７６】
図１１は、精査端末１の表示部１４に表示する精査判定処理結果を示す表示画面１１０の一例である。
表示画面１１０は、参照情報選択領域１１２、取引処理装置一覧表示領域１１４及び情報表示領域１１６からなる。
【００７７】
参照情報選択領域１１２は、精査端末１の操作者が、参照したい情報を選択する領域である。
本実施形態では、参照情報選択領域１２１のうち動作実行を示す指示領域（例えば、「Ａｃｔｉｏｎ」）を選択することにより精査判定処理の結果を参照できるものとする。また、参照情報選択領域１２１のうち状態確認を行うための指示領域（例えば、「Ｓｔａｔｕｓ」）を選択することによりカセットの収納状態を参照できる。また、予測情報の参照を行うための指示領域（例えば、「Ｆｏｒｅｃａｓｔ」）を選択することによりカセットの収納予測情報を参照できるものとする。さらに、各種情報の更新を指示するための指示領域（例えば、「Ｕｐｄａｔｅ」）も表示されるものとする。
【００７８】
取引処理装置一覧表示領域１１４には、精査端末１が管理する取引処理装置２の一覧が表示され、操作者は、一覧から参照したい取引処理装置２を選択することができる。
【００７９】
情報表示領域１１６には、取引処理装置２の撮像部２７で撮像する画像情報１１７及びカセット情報１１８が表示される。
画像情報１１７により、精査端末１の操作者は、取引処理装置２の利用状態、即ち、利用者が取引処理装置を操作しているか、次の利用者がいるかどうかを確認することができる。
【００８０】
図１１のカセット情報１１８には、取引処理装置２「ＭａｃｈｉｎｅＮｏ：Ｚ００１」のカセットの情報が表示される。カセット情報として、カセットの収納量が図示されると共に、カセットが確定／不確定状態であるかを区別して表示する。
例えば、カセットの状態が、確定状態である場合、カセットを青色表示し、不確定状態である場合、カセットを赤色表示する。なお、カセットの確定／不確定状態を文字で表示してもよい。
【００８１】
また、図示されるカセットの下部には、該カセットの計数処理を指示するための計数指示ボタンが表示される。本実施形態では、不確定状態のカセットの下部にのみ計数指示ボタンを表示するものとするが、図示される全てのカセットの下部に計数指示ボタンを表示するのでもよい。操作者は、計数指示ボタンを選択することによりカセットの計数処理の実行を指示することができる。また、全てのカセットの計数を一括で指示するための計数指示ボタンを表示してもよい。
【００８２】
図１１は、５千円のカセットが、現在高の紙幣の枚数と第１の情報に含まれる枚数とが不一致、即ち不確定状態であると判断されたため、他のカセットと区別して収納状態が表示されている様子を示す。また、不確定状態である５千円カセットの下部には、計数指示ボタンが表示される。
操作者は、５千円のカセットが不確定状態であることを確認し、計数を実施したいタイミングで計数指示ボタンを選択することができる。
【００８３】
以上のように、本実施形態では、精査端末１の表示部１４に、複数のカセットの収納量及び確定／不確定状態の状態情報を示すと共に、計数処理を指示するための計数指示ボタンを表示する。そのため、操作者は、カセットの収納量や収納状態を確認しながら計数処理の実行要否を判断して、計数処理の実行を指示することができる。
【００８４】
また、カセットの紙幣の収納量を表示することにより、紙幣の収納量を加味して計数処理を実行するタイミングを考慮することができる。例えば、紙幣の収納量が少ない段階で、計数処理を指示することにより、計数の時間を低減することができる。また、紙幣の収納量が、満杯又は空に近い状態でありカセットの交換が必要になる場合に、計数を事前に実施しておくことによりカセットを交換する際の精査にかかる時間を短縮することもできる。
【００８５】
また、流通する紙幣が多いという事情や、流通する紙幣の状態が悪いとった事情があっても、カセットの収納量の確認や計数処理を逐次実行することにより、カセットの交換時期や正確な紙幣量の把握を行うことができる。
【００８６】
また、操作者は、カセットの収納量の確認と、確定／不確定状態の状態情報をあわせて確認できるため、カセットの交換のタイミングを図りながら、計数の実行要否を判断することができる。例えば、操作者は、カセットの収納量が空に近い状態であるときに計数を実行することにより、短時間で計数を完了することができる。
【００８７】
さらに、本実施形態では、撮像画像を確認して取引処理装置２の利用状況を把握できるため、利用者が取引処理装置２を利用していない時間に計数作業を実行することができ、利用者の取引を制限せず取引処理装置２の利便性を向上することができる。
【００８８】
図１２は、計数処理の処理フローを示すフローチャートである。
紙幣処理部２５は、対象となる金種のカウンタをリセットする（Ｓ１２０１）。金種のカウンタは、カセット２０４Ａ〜カセット２０４Ｃに収納されている紙幣の金種毎の枚数をカウントする。
【００８９】
紙幣処理部２５は、計数対象の紙幣カセットが空になるまで、紙幣を繰り出し、補充用カセット２０６の補充部２０６Ａに収納する（Ｓ１２０３）。補充用カセット２０６の補充部２０６Ａは、空であったため、Ｓ１２０３の処理を行うことで、紙幣カセット２０４Ａ及び紙幣カセット２０４Ｂの紙幣のみが収納されたことになる。なお、繰り出しのカセットは、補充用カセット２０６に限られない。
【００９０】
紙幣処理部２５は、補充用カセット２０６の補充部２０６Ａから紙幣を１枚ずつ繰り出して（Ｓ１２０５）、紙幣の金種を紙幣識別部２０２にて識別する（Ｓ１２０７）この際、紙幣識別部２０２は、紙幣の真偽についても識別する。紙幣処理部２５は、紙幣識別部２０２にて紙幣の金種を識別する（Ｓ１２０９：Ｙｅｓ）と、紙幣の金種のカウンタをカウントアップする（Ｓ１２１１）。紙幣処理部２５は、金種に応じた紙幣カセットに紙幣を収納して（Ｓ１２１３）、Ｓ１２１５へ進む。
【００９１】
また、紙幣処理部２５は、紙幣識別部２０２にて紙幣の金種を識別できなかった場合に（Ｓ１２０９：Ｎｏ）、識別できなかった紙幣をリジェクト紙幣とみなして、紙幣情報管理テーブル２９の「第１リジェクトカセットの不明紙幣の有無」を「有」に更新する（Ｓ１２１７）。そして、紙幣処理部２５は、リジェクト紙幣を第１リジェクトカセット２０５へ収納して（Ｓ１２１９）、Ｓ１２１５へ進む。
【００９２】
Ｓ１２１５にて、紙幣処理部２５は、補充用カセット２０６の補充部２０６Ａが空になるまで（Ｓ１２１５：Ｎｏ）、Ｓ７０３〜Ｓ７１０の処理を繰り返し行う。紙幣処理部２５は、補充用カセット２０６の補充部２０６Ａが空になると（Ｓ１２１５：Ｙｅｓ）、紙幣カセットから新たに繰り出した紙幣を仕切紙幣として第１リジェクトカセット２０５へ収納する（Ｓ１２２１）。
【００９３】
この際、紙幣処理部２５は、紙幣識別部２０２にて仕切紙幣の記番号（ＡＡＡＡＡＡＡＡ）を識別し、紙幣情報管理テーブル２９の「仕切紙幣」に「ＡＡＡＡＡＡＡＡ」を登録する。その後、金種毎のカウンタの値に基づいて、紙幣情報管理テーブル２９を更新する（Ｓ１２２３）。また、精査端末１に更新した情報を精査結果として送信する（Ｓ１２２５）。以上より、紙幣処理部２５は、紙幣カセットに収納された計数処理を完了する。
【００９４】
また、紙幣処理部２５は、計数処理後に仕切紙幣を第１リジェクトカセット２０５へ収納するため、精査処理完了前のリジェクト紙幣か、精査処理完了後のリジェクト紙幣かを識別することができる。この結果、係員は、実際に第１リジェクトカセット２０５の紙幣を調べなければならない場合であっても、第１リジェクトカセット２０５から精査処理完了前のリジェクト紙幣のみを取り出して調べることができる。
【００９５】
図１３は、精査端末１の表示部１４に表示するカセットの収納状態を示す表示画面１３０の一例を示す。
表示画面１３０の参照情報選択領域で、「Ｓｔａｔｕｓ」が選択されると、取引処理装置２のカセットの収納状況１３２が表示される。また、取引処理装置２の障害情報等の取引処理装置情報１３４をあわせて表示してもよい。
【００９６】
カセットの収納状況１３２には、各カセットの紙幣の収納量が図示される。また、条件管理テーブル３０に基づいてカセットの「Ｆｕｌｌ」「Ｎｅａｒ  Ｆｕｌｌ」等の収納状態を色わけして表示したり文字で通知したりする。そのため、操作者は、各カセットの収納状態を把握して、カセットの回収や補充を計画することができる。
【００９７】
取引処理装置情報１３４には、例えば、装置のエラー情報や、明細票レシートの用紙切れの通知等が表示される。操作者は、カセットの収納状態と共に取引処理装置２の状態情報をあわせて確認することにより、カセットの回収や補充と共に装置の障害情報やメンテナンスを計画することができる。
【００９８】
また、表示部１４には、図１４のように精査端末１で管理する取引処理装置２の収納状況を一覧で示す表示画面１４０を表示してもよい。操作者は、管理する全ての取引処理装置２の状態を確認して、優先度をつけてカセットの回収や補充、メンテナンス等の計画をたてることができる。
【００９９】
図１５は、精査端末１の表示部１４に示すカセットの収納予測情報を示す表示画面１５０の一例を示す。
収納予測情報を示す表示画面１５０には、種々の予測手法を用いて算出されるカセットの交換時期や交換紙幣の量等が表示される。
【０１００】
操作者は、表示される情報に従い、カセットに補充する紙幣の金種と補充枚数を事前に準備することができる。そのため、カセット交換の準備にかかる時間や、余分に紙幣を準備することなく、準備作業にかかる作業コストを低減することができる。
【０１０１】
以上のように、本実施形態では、精査端末１の表示部１４に、各カセットの確定／不確定状態の状態情報を示すと共に、計数処理を指示するための計数指示ボタンを表示することにより、カセットの収納状態を確認しながら計数処理の実行要否を判断して、計数処理の実行を指示することができる。そのため、柔軟にカセットの計数作業を行うことができ、効率的な取引処理装置２の運用を図ることができる。また、逐次、計数作業を行うことができるため、取引処理装置２に収納する紙幣量の確度を高めて運用を行うことができる。
【０１０２】
［第２の実施形態］
第２の実施形態では、精査判定処理のカセット毎の状態の判断に、ホストコンピュータ３から取得した現在高と、取引処理装置２から取得した第１の情報に含まれる金種毎の紙幣の枚数及びリジェクト紙幣の金種毎の枚数の一致あるいは不一致だけでなく、カセットの抜取状態、紙幣処理部の障害情報又は現金残留障害情報を用いる形態について説明する。
【０１０３】
図１６は、第２の実施形態の精査判定処理を説明するフローチャートの一例である。
Ｓ９０１〜Ｓ９０７及びＳ９１１〜Ｓ１５については、第１の実施形態と同様であるため、説明を省略する。
Ｓ１６０１では、ホストコンピュータ３から取得した現在高と、取引処理装置２から取得した第１の情報に含まれる金種毎の紙幣の枚数情報とが一致する場合、カセットの抜き取りの有と判断の場合（Ｓ１６０３）、現金ユニット等（メカなどの機構に関する）障害情報に基づく判断から紙幣処理部障害有と判断の場合（Ｓ１６０５）、現金残留障害に基づく判断から現金残留障害有と判断の場合（Ｓ１６０７）、のいずれかの条件を満たしている場合に、カセットの状態を不確定状態であると決定する（Ｓ１６０８）。
【０１０４】
カセットの抜き取りの有無を判断することにより、係員や第三者が不当に取引処理装置にアクセスしたかを判断することができる。また、紙幣処理部２５の障害の有無や現金残留障害の有無を判断することにより、障害に伴う紙幣の枚数情報の確度を判断する。
【０１０５】
以上により、取引処理装置２の紙幣の枚数の不確定原因となりうる事象の発生があると判断すると、カセットの状態を不確定状態として計数処理の対象とする。なお、リジェクトカセットに不明紙幣がある場合、全カセットの状態を不確定状態と決定するようにしてもよい。
【０１０６】
図１７は、カセットの抜き取りの有無を検知するアクセス検知機構について説明する図である。
アクセス検知機構は、カセットの引き出し方向とは反対側（以下、「カセット後方」という。）の取引処理装置正面側に設けられる。
【０１０７】
カセット後方には、カセットに構成される引出部材１３０１及びカセット検知センサ１３０３が構成される。さらに、カセットが引き出された際にカセット検知センサ１３０３を遮光する遮光部材１３０５、遮光部材１３０５を取引処理装置と接続して動作させるバネ部材１３０７、遮光部材１３０５の動きを制御するリンク部材１３０９及びソレノイド１３１１が構成される。
【０１０８】
図１７Ａは、カセット収納時のアクセス検知機構１３００の様子を示す。
カセット収納時には、遮光部材１３０５は、バネ部材１３０７及びリンク部材１３０９によってカセット検知センサ１３０３に反応しない位置に固定される。
【０１０９】
図１７Ｂは、カセットの引き出しがあった場合のアクセス検知機構１３００の様子を示す。カセットが引出方向に引き出されると、カセットの引出部材１３０１により、遮光部材１３０５が下に押し下げられ、リンク部材１３０９の当接側の遮光部材１３０５が、リンク部材１３０９の突出部を乗り越えてバネ部材１３０７に保持される。これにより、遮光部材１３０５が、カセット検知センサ１３０３に反応する位置に留められる。
【０１１０】
制御部２０は、アクセス検知機構によりカセットの引き出しを検知すると、紙幣情報管理テーブル２９のカセット抜取情報を「有」に更新する。以上により、紙幣カセットから紙幣が抜き取られた可能性を検知することができる。
【０１１１】
以上のように、本実施形態では、精査判定処理におけるカセットの状態判断に、金種毎の紙幣の枚数値だけでなく、カセットの抜取状態や紙幣処理部２５の障害情報等を用いることにより、カセットに収納される紙幣の枚数の確度を高めることができる。また、取引処理装置２への不当なアクセスや障害を検知することにより、取引処理装置２の安全性を高めることができる。
【０１１２】
以上、図面を用いて詳細に説明したが、本発明は上述の種々の例に限定されるものではなく、その趣旨を逸脱しない範囲で、種々の構成や動作を適用可能である。
また、以上、精査端末２の表示部１４に表示されるものとして説明した表示画面は、取引処理装置２やホストコンピュータ３の表示部等に表示してもよい。
【符号の説明】
【０１１３】
１…精査端末
２…取引処理装置
３…ホストコンピュータ
４…ネットワーク
１１…制御部
１２…通信部
１３…操作部
１４…表示部
１５…記憶部
２０…制御部
２１…表示・操作部
２２…カード・明細票処理部
２３…通帳処理部
２４…硬貨処理部
２５…紙幣処理部
２６…通信部
２７…撮像部
２８…記憶部
３２…制御部
【図１】
2017102495.tif 000003
【図２】
2017102495.tif 000004
【図３】
2017102495.tif 000005
【図４】
2017102495.tif 000006
【図５】
2017102495.tif 000007
【図６】
2017102495.tif 000008
【図７】
2017102495.tif 000009
【図８】
2017102495.tif 000010
【図９】
2017102495.tif 000011
【図１０】
2017102495.tif 000012
【図１１】
2017102495.tif 000013
【図１２】
2017102495.tif 000014
【図１３】
2017102495.tif 000015
【図１４】
2017102495.tif 000016
【図１５】
2017102495.tif 000017
【図１６】
2017102495.tif 000018
【図１７Ａ】
2017102495.tif 000019
【図１７Ｂ】
2017102495.tif 000020